【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、正の屈折力の第４レンズ群より構成され、ズーミングに際して、前記第２レンズ群と前記第４レンズ群が光軸上を移動するズームレンズであって、前記第３レンズ群は、物体側より像側へ順に、負の屈折力の第３Ａレンズ群と、像を変位させるために光軸と垂直方向の成分を持つ方向に移動する正の屈折力の第３Ｂレンズ群から成り、前記第３Ａレンズ群の物体側に開口絞りを有し、前記第３Ｂレンズ群は、正レンズと負レンズを接合した接合レンズを有し、該接合レンズの物体側と像側の面の曲率半径を各々Ｒ３Ａ、Ｒ３Ｂ、広角端における開口絞りの開口径をＳｐａ、前記第３Ｂレンズ群を構成する正レンズの光軸上の厚さの合計をＤｐ、広角端における開口絞りの開口径の半分の光軸からの高さにおける前記第３Ｂレンズ群を構成する負レンズの厚さの合計をＫｎとするとき、
５＜｜（Ｒ３Ａ＋Ｒ３Ｂ）／（Ｒ３Ａ−Ｒ３Ｂ）｜＜３０
０．４４＜（Ｄｐ＋Ｋｎ）／Ｓｐａ＜０．６０
なる条件を満足することを特徴とするズームレンズ。
【請求項２】
前記第３Ａレンズ群の焦点距離をｆ３Ａ、前記第３Ｂレンズ群の焦点距離をｆ３Ｂとするとき、
１．３＜｜ｆ３Ａ／ｆ３Ｂ｜＜２．５
なる条件を満足することを特徴とする請求項１に記載のズームレンズ。
【請求項３】
前記第３レンズ群の焦点距離をｆ３、広角端と望遠端における全系の焦点距離を各々ｆｗ、ｆｔとするとき、
３．０＜ｆ３／√（ｆｗ・ｆｔ）＜７．０
なる条件を満足することを特徴とする請求項１又は２に記載のズームレンズ。
【請求項４】
前記第１レンズ群は、物体側から像側へ順に、負レンズ、正レンズ、正レンズ、正レンズより成り、前記第１レンズ群の焦点距離をｆ１、望遠端における全系の焦点距離をｆｔ、前記第１レンズ群のうちの１つの正レンズの材料のアッベ数をＶ１Ａ、他の１つの正レンズの材料のアッベ数をＶ１Ｂとするとき、
０．７＜ｆ１／ｆｔ＜１．０
６５＜Ｖ１Ａ＜７５
７０＜Ｖ１Ｂ
なる条件を満足することを特徴とする請求項１乃至３のいずれか１項に記載のズームレンズ。
【請求項５】
前記第４レンズ群は、物体側に正レンズを有し、像側に負レンズと正レンズとを接合した接合レンズを有することを特徴とする請求項１乃至４のいずれか１項に記載のズームレンズ。
【請求項６】
請求項１乃至５のいずれか１項に記載のズームレンズと、該ズームレンズによって形成された像を受光する固体撮像素子とを有することを特徴とする撮像装置。
【手続補正２】
【補正対象書類名】明細書
【補正対象項目名】０００８
【補正方法】変更
【補正の内容】
【０００８】
本発明のズームレンズは、物体側より像側へ順に、正の屈折力の第１レンズ群、負の屈折力の第２レンズ群、正の屈折力の第３レンズ群、正の屈折力の第４レンズ群より構成され、ズーミングに際して、前記第２レンズ群と前記第４レンズ群が光軸上を移動するズームレンズであって、前記第３レンズ群は、物体側より像側へ順に、負の屈折力の第３Ａレンズ群と、像を変位させるために光軸と垂直方向の成分を持つ方向に移動する正の屈折力の第３Ｂレンズ群から成り、前記第３Ａレンズ群の物体側に開口絞りを有し、前記第３Ｂレンズ群は、正レンズと負レンズを接合した接合レンズを有し、該接合レンズの物体側と像側の面の曲率半径を各々Ｒ３Ａ、Ｒ３Ｂ、広角端における開口絞りの開口径をＳｐａ、前記第３Ｂレンズ群を構成する正レンズの光軸上の厚さの合計をＤｐ、広角端における開口絞りの開口径の半分の光軸からの高さにおける前記第３Ｂレンズ群を構成する負レンズの厚さの合計をＫｎとするとき、
５＜｜（Ｒ３Ａ＋Ｒ３Ｂ）／（Ｒ３Ａ−Ｒ３Ｂ）｜＜３０
０．４４＜（Ｄｐ＋Ｋｎ）／Ｓｐａ＜０．６０
なる条件を満足することを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００３３
【補正方法】変更
【補正の内容】
【００３３】
高性能を維持しつつ、高ズーム比を達成するために、第１レンズ群は負レンズ、正レンズ、正レンズ、正レンズの４枚構成とすることが好ましい。この際、第１レンズ群Ｂ１の焦点距離ｆ１は条件式（５）を満たすことが好ましい。条件式（５）は、第１レンズ群Ｂ１のパワー（屈折力）に関する好ましい範囲を、望遠端における全系の焦点距離との比で規定している。この条件式（５）の下限を越えると、第１レンズ群Ｂ１のパワーが強くなりすぎ、第１レンズ群Ｂ１での収差の発生量が大きくなり、特に像面湾曲と非点収差が大きく発生してしまう。それを良好に補正するためには、レンズ枚数を増加したり、又は非球面の追加等が必要となってくる。逆に、条件式（５）の上限を越えると、収差補正上は有利だが、第１レンズ群の有効径が増大してしまい好ましくない。
【手続補正５】
【補正対象書類名】明細書
【補正対象項目名】００３４
【補正方法】変更
【補正の内容】
【００３４】
条件式（６）および（７）は第１レンズ群Ｂ１におけるいずれかの正レンズにおける硝材のアッベ数の好ましい範囲を定義するものである。条件式（６）および（７）の下限値を下回ると、望遠端における倍率色収差および軸上色収差を良好に補正することが困難となる。また、これらの条件式（６）、（７）を上回り低分散の硝材を利用すると、屈折率も低くなってしまい、球面収差の補正が困難となってくる。条件式（６）、（７）の数値範囲は以下の条件式（６ａ）、（７ａ）の数値範囲とするとさらに好ましい。
【手続補正６】
【補正対象書類名】明細書
【補正対象項目名】００４０
【補正方法】変更
【補正の内容】
【００４０】
［数値実施例１］
単位 mm
面データ
面番号       r        d      nd         νd
1        277.697    3.20   1.84666    23.9           
2         78.417    1.77                             
3        102.260    7.87   1.59319    67.9           
4       -473.342    0.20                             
5         59.147    8.61   1.49700    81.5           
6        469.988    0.20                             
7         54.259    4.55   1.83481    42.7           
8        112.224  (可変)                             
9         64.116    1.15   2.00069    25.5           
10         11.037    3.85                             
11        137.955    1.00   1.86400    40.6           
12*        30.493    2.64                             
13        -26.474    0.85   1.77250    49.6           
14         39.705    0.90                             
15         30.932    3.10   1.94595    18.0           
16        -56.563  (可変)                             
17(絞り)    ∞       2.73                             
18         80.052    0.80   1.88300    40.8           
19         15.992    4.20   1.84666    23.9           
20        -25.691    0.17                             
21        -22.044    0.80   2.00330    28.3           
22         65.582    4.75                             
23*        46.989    3.00   1.58313    59.4           
24*       -28.227    0.20                             
25       -275.075    0.80   1.80518    25.4           
26         53.576    1.50   1.48749    70.2           
27       -254.230  (可変)                             
28*        29.675    3.60   1.58313    59.4           
29*       -48.318    0.20                             
30         94.258    0.90   1.92286    18.9           
31         28.823    3.50   1.51633    64.1           
32        -38.371  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞       0.50                             
像面        ∞   
非球面データ
第12面
K =-1.09914e+001  A 4= 5.66094e-005  A 6=-1.61718e-008  A 8= 1.63644e-009  A10=
-1.40944e-011  A12= 2.00841e-013  
第23面
K = 1.71530e+000  
A 3= 1.28672e-005  A 5=-2.15384e-006  A 7=-9.29422e-009  A 9= 4.82488e-011  A11=
-1.03291e-012  
第24面
K =-5.23637e+000  
A 3=-3.21510e-006  A 5=-4.20683e-006  A 7= 2.25990e-008  A 9=-2.52983e-010  
第28面
K =-2.12081e-001  A 4= 1.86431e-005  A 6=-2.32517e-007  A 8= 1.73499e-009  A10=
1.90953e-011  
第29面
K =-4.84583e+000  A 4= 3.10197e-005  A 6=-2.30980e-007  A 8= 2.05564e-009  A10=
1.83243e-011  
各種データ
ズーム比     19.98 
焦点距離       4.23    23.78    84.45     7.87    45.71     6.10  
Fナンバー      1.66     2.34     2.88     1.81     2.65     1.72  
画角          35.62     7.26     2.05    21.05     3.79    26.42  
像高           3.03     3.03     3.03     3.03     3.03     3.03  
レンズ全長   152.41   152.41   152.41   152.41   152.41   152.41  
BF            23.02    26.81    23.07    24.53    26.53    23.90  
d 8            0.84    35.36    46.86    16.95    42.26    10.97  
d16           48.68    14.16     2.66    32.57     7.26    38.55  
d27           12.83     9.04    12.78    11.31     9.32    11.94  
d32            6.00     9.79     6.05     7.52     9.51     6.89  
ズームレンズ群データ
群  始面    焦点距離  
1    1      66.36  
2    9     -10.81  
3a  18     -55.57  
3b  23      38.67  
4   28      25.63  
5   33       ∞    
【手続補正７】
【補正対象書類名】明細書
【補正対象項目名】００４１
【補正方法】変更
【補正の内容】
【００４１】
［数値実施例２］
単位 mm
面データ
面番号       r        d      nd         νd
1        346.791    3.20   1.84666    23.9           
2         79.138    1.96                             
3        106.540    7.87   1.56907    71.3           
4       -324.531    0.20                             
5         59.433    8.61   1.48749    70.2           
6        451.612    0.20                             
7         54.040    4.55   1.83481    42.7           
8        117.963  (可変)                             
9         65.362    1.15   2.00069    25.5           
10         10.694    3.89                             
11        103.693    1.00   1.86400    40.6           
12*        30.808    2.28                             
13        -26.912    0.85   1.77250    49.6           
14         36.434    1.09                             
15         31.195    3.10   1.94595    18.0           
16        -53.422  (可変)                             
17(絞り)    ∞       2.73                             
18         91.770    0.80   1.88300    40.8           
19         15.517    4.20   1.84666    23.9           
20        -25.464    0.15                             
21        -22.326    0.80   2.00330    28.3           
22         67.217    4.75                             
23*        47.140    3.00   1.58313    59.4           
24*       -26.349    0.20                             
25       -204.114    1.50   1.48749    70.2           
26        -34.133    0.50   1.80518    25.4           
27       -235.983  (可変)                             
28*        30.388    3.60   1.58313    59.4           
29*       -48.342    0.20                             
30         89.777    0.90   1.92286    18.9           
31         28.686    3.50   1.51633    64.1           
32        -37.298  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞       0.50                             
像面        ∞   
非球面データ
第12面
K =-1.61035e+001  A 4= 6.63311e-005  A 6=-1.31635e-007  A 8=-3.41046e-009  A10=
5.17685e-011  A12=-1.05754e-014  
第23面
K = 6.01552e+000  
A 3= 1.79683e-005  A 5=-2.14638e-006  A 7=-5.35794e-009  A 9= 2.06751e-010  A11=
-1.24056e-012  
第24面
K =-4.77821e+000  
A 3= 5.27602e-006  A 5=-3.80480e-006  A 7= 2.40140e-008  A 9=-8.21649e-011  
第28面
K =-2.61498e-002  A 4= 1.95919e-005  A 6=-2.23737e-007  A 8= 1.72892e-009  A10=
2.17463e-011  
第29面
K =-8.00470e+000  A 4= 2.97023e-005  A 6=-2.11847e-007  A 8= 2.02969e-009  A10=
2.15789e-011  
各種データ
ズーム比     17.95 
焦点距離       4.10    22.33    73.61     7.57    41.82     5.89  
Fナンバー      1.66     2.34     2.88     1.81     2.65     1.72  
画角          36.46     7.73     2.36    21.80     4.14    27.22  
像高           3.03     3.03     3.03     3.03     3.03     3.03  
レンズ全長   152.49   152.49   152.49   152.49   152.49   152.49  
BF            22.86    26.68    24.20    24.35    26.71    23.72  
d 8            0.82    35.75    47.39    17.12    42.74    11.07  
d16           48.95    14.02     2.38    32.65     7.03    38.70  
d27           13.09     9.27    11.74    11.60     9.24    12.22  
d32            5.84     9.66     7.19     7.33     9.69     6.71  
ズームレンズ群データ
群  始面    焦点距離  
1    1      66.92  
2    9     -10.90  
3a  18     -54.19  
3b  23      38.29  
4   28      25.44  
5   33       ∞    
【手続補正８】
【補正対象書類名】明細書
【補正対象項目名】００４２
【補正方法】変更
【補正の内容】
【００４２】
［数値実施例３］
単位 mm
面データ
面番号       r        d      nd         νd
1        279.602    3.20   1.84666    23.9           
2         78.619    1.80                             
3        103.422    7.85   1.59319    67.9           
4       -481.133    0.20                             
5         58.971    8.60   1.49700    81.5           
6        500.860    0.20                             
7         54.232    4.55   1.83481    42.7           
8        110.949  (可変)                             
9         68.002    1.15   2.00069    25.5           
10         10.980    3.85                             
11        125.053    1.00   1.85135    40.1           
12*        29.719    2.67                             
13        -26.734    0.85   1.77250    49.6           
14         41.825    0.84                             
15         31.046    3.10   1.94595    18.0           
16        -54.861  (可変)                             
17(絞り)    ∞       2.53                             
18         89.460    0.80   1.88300    40.8           
19         15.461    4.20   1.84666    23.9           
20        -25.269    0.14                             
21        -22.185    0.80   2.00330    28.3           
22         66.393    4.75                             
23*        46.529    3.60   1.58313    59.4           
24*       -26.933    0.20                             
25       -203.745    2.00   1.48749    70.2           
26        -34.732    0.80   1.80518    25.4           
27       -229.502  (可変)                             
28*        30.580    3.60   1.58313    59.4           
29*       -48.480    0.20                             
30         90.028    0.90   1.92286    18.9           
31         28.776    3.50   1.51633    64.1           
32        -37.052  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞       0.52                             
像面        ∞   
非球面データ
第12面
K =-2.09315e+001  A 4= 1.06195e-004  A 6=-8.10904e-007  A 8= 7.60130e-009  A10=
3.21857e-012  A12=-2.83689e-013  
第23面
K = 2.10328e+000  
A 3= 2.06948e-005  A 5=-1.91231e-006  A 7=-8.07340e-010  A 9= 1.89205e-010  A11=
-1.20487e-012  
第24面
K =-4.75167e+000  
A 3= 8.42353e-007  A 5=-3.97374e-006  A 7= 2.93971e-008  A 9=-1.04352e-010  
第28面
K = 9.42037e-002  A 4= 1.84021e-005  A 6=-2.55342e-007  A 8= 3.04586e-009  A10=
1.12969e-011  
第29面
K =-6.51874e+000  A 4= 3.09390e-005  A 6=-2.38880e-007  A 8= 3.19270e-009  A10=
1.17773e-011  
各種データ
ズーム比     17.92 
焦点距離       4.24    22.92    75.94     7.81    42.88     6.08  
Fナンバー      1.66     2.34     2.88     1.81     2.65     1.72  
画角          35.56     7.53     2.28    21.20     4.04    26.49  
像高           3.03     3.03     3.03     3.03     3.03     3.03  
レンズ全長   152.60   152.60   152.60   152.60   152.60   152.60  
BF            22.95    26.63    23.78    24.42    26.51    23.81  
d 8            0.86    35.06    46.46    16.82    41.90    10.89  
d16           48.35    14.15     2.75    32.39     7.31    38.31  
d27           12.58     8.90    11.74    11.11     9.02    11.72  
d32            5.91     9.59     6.75     7.38     9.47     6.77  
ズームレンズ群データ
群  始面    焦点距離  
1    1      66.58  
2    9     -10.95  
3a  18     -54.34  
3b  23      38.43  
4   28      25.47  
5   33       ∞    
【手続補正９】
【補正対象書類名】明細書
【補正対象項目名】００４３
【補正方法】変更
【補正の内容】
【００４３】
［数値実施例４］
単位 mm
面データ
面番号       r        d      nd         νd
1        318.192    3.20   1.84666    23.9           
2         81.838    1.60                             
3        103.621    8.21   1.59319    67.9           
4       -408.911    0.20                             
5         60.968    8.25   1.49700    81.5           
6        410.702    0.20                             
7         55.573    4.55   1.80610    40.9           
8        116.205  (可変)                             
9         55.879    1.15   2.00069    25.5           
10         11.210    3.62                             
11         66.922    1.00   1.80400    46.6           
12*        29.147    2.78                             
13        -23.575    0.85   1.77250    49.6           
14         31.599    0.95                             
15         29.879    3.10   1.94595    18.0           
16        -59.943  (可変)                             
17(絞り)    ∞       2.73                             
18       1676.905    0.80   1.88300    40.8           
19         18.255    4.20   1.84666    23.9           
20         91.810    4.75                             
21*        41.727    3.00   1.58313    59.4           
22*       -29.953    0.20                             
23        -78.632    2.00   1.48749    70.2           
24        -28.539    0.80   1.80518    25.4           
25        -96.230  (可変)                             
26*        31.021    3.60   1.58313    59.4           
27*       -60.209    0.20                             
28        106.902    0.90   1.92286    18.9           
29         31.816    3.50   1.51633    64.1           
30        -34.404  (可変)                             
31          ∞       0.80   1.52420    60.0           
32          ∞       2.43   1.54400    70.0           
33          ∞       1.50                             
34          ∞      20.00   1.58913    61.1           
35          ∞       0.50   1.49831    65.1           
36          ∞       0.65                             
像面        ∞   
非球面データ
第12面
K =-1.09079e+001  A 4= 5.97984e-005  A 6= 3.44579e-008  A 8=-3.61701e-010  A10=
1.53859e-012  A12= 3.22391e-013  
第21面
K = 1.56706e+000  
A 3=-2.66035e-006  A 5=-3.41203e-006  A 7= 1.42072e-009  A 9=-1.58415e-010  A11=
-1.82717e-012  
第22面
K =-6.59381e+000  
A 3=-1.75165e-005  A 5=-5.20045e-006  A 7= 3.76211e-008  A 9=-5.37822e-010  
第26面
K =-7.08687e-002  A 4= 2.56548e-005  A 6=-1.71741e-007  A 8= 2.17766e-009  A10=
2.83959e-011  
第27面
K =-5.67683e+000  A 4= 4.28424e-005  A 6=-1.94968e-007  A 8= 2.51556e-009  A10=
3.35745e-011  
各種データ
ズーム比     18.02 
焦点距離       4.28    23.03    77.12     7.86    43.29     6.13  
Fナンバー      1.66     2.34     2.88     1.81     2.65     1.72  
画角          35.29     7.49     2.25    21.08     4.00    26.31  
像高           3.03     3.03     3.03     3.03     3.03     3.03  
レンズ全長   153.76   153.76   153.76   153.76   153.76   153.76  
BF            20.87    25.10    22.85    22.52    25.28    21.84  
d 8            0.85    36.41    48.26    17.44    43.52    11.28  
d16           49.95    14.39     2.54    33.35     7.28    39.52  
d25           15.75    11.52    13.77    14.09    11.34    14.78  
d30            3.70     7.93     5.68     5.35     8.11     4.67  
ズームレンズ群データ
群  始面    焦点距離  
1    1      69.23  
2    9     -10.77  
3a  18     -93.34  
3b  21      41.15  
4   26      26.65  
5   31       ∞    
【手続補正１０】
【補正対象書類名】明細書
【補正対象項目名】００４４
【補正方法】変更
【補正の内容】
【００４４】
［数値実施例５］
単位 mm
面データ
面番号       r        d      nd         νd
1        306.011    3.20   1.84666    23.9           
2         80.780    1.61                             
3        103.370    7.87   1.59319    67.9           
4       -420.277    0.20                             
5         59.881    8.61   1.49700    81.5           
6        459.025    0.20                             
7         54.008    4.55   1.83481    42.7           
8        108.629  (可変)                             
9         67.833    1.15   2.00069    25.5           
10         10.783    3.90                             
11        118.264    1.00   1.86400    40.6           
12*        30.370    2.39                             
13        -29.043    0.85   1.77250    49.6           
14         34.993    0.78                             
15         28.091    3.10   1.94595    18.0           
16        -59.090  (可変)                             
17(絞り)    ∞       2.73                             
18         89.649    0.80   1.88300    40.8           
19         19.442    4.20   1.84666    23.9           
20        -15.026    0.80   2.00330    28.3           
21         66.525    4.75                            
22*        46.261    3.80   1.58313    59.4           
23*       -26.727    0.20                             
24       -188.475    2.00   1.48749    70.2           
25        -34.798    0.80   1.80518    25.4           
26       -240.893  (可変)                             
27*        30.582    3.60   1.58313    59.4           
28*       -49.700    0.20                             
29         90.894    0.90   1.92286    18.9           
30         28.619    3.50   1.51633    64.1           
31        -37.266  (可変)                             
32          ∞       0.80   1.52420    60.0           
33          ∞       2.43   1.54400    70.0           
34          ∞       1.50                             
35          ∞      20.00   1.58913    61.1           
36          ∞       0.50   1.49831    65.1           
37          ∞       0.50                             
像面        ∞   
非球面データ
第12面
K =-1.16571e+001  A 4= 5.68030e-005  A 6=-1.22379e-007  A 8= 1.89826e-009  A10=
-5.02704e-012  A12= 7.81404e-014  
第22面
K = 4.08781e+000  
A 3= 2.54702e-005  A 5=-2.29925e-006  A 7=-2.27696e-009  A 9= 1.72745e-010  A11=
-1.01287e-012  
第23面
K =-5.08368e+000  
A 3= 6.93284e-006  A 5=-3.98105e-006  A 7= 2.52038e-008  A 9=-8.35178e-011  
第27面
K =-1.66559e-001  A 4= 2.11328e-005  A 6=-2.23303e-007  A 8= 1.90708e-009  A10=
2.13572e-011  
第28面
K =-7.41362e+000  A 4= 3.08633e-005  A 6=-2.11300e-007  A 8= 2.17911e-009  A10=
2.15787e-011  
各種データ
ズーム比     19.97 
焦点距離       4.23    23.73    84.40     7.86    45.62     6.09  
Fナンバー      1.66     2.34     2.88     1.81     2.65     1.72  
画角          35.62     7.28     2.06    21.07     3.80    26.43  
像高           3.03     3.03     3.03     3.03     3.03     3.03  
レンズ全長   152.97   152.97   152.97   152.97   152.97   152.97  
BF            22.51    26.30    22.68    24.03    26.06    23.40  
d 8            0.88    35.83    47.48    17.19    42.82    11.13  
d16           49.08    14.13     2.48    32.77     7.14    38.83  
d26           12.79     9.00    12.62    11.28     9.24    11.90  
d31            5.49     9.28     5.66     7.01     9.04     6.38  
ズームレンズ群データ
群  始面    焦点距離  
1    1      67.13  
2    9     -10.90  
3a  18     -58.96  
3b  22      38.60  
4   27      25.80  
5   32       ∞    
【手続補正１１】
【補正対象書類名】明細書
【補正対象項目名】００４５
【補正方法】変更
【補正の内容】
【００４５】
【表１】
2010237456.tif 000001